(57)【要約】【課題】  利便性の高いレンタル自転車とそのレンタル自転車をレンタルする自転車レンタルシステムとを提供しようとする。【解決手段】  従来の利用者の利用に供するためにレンタルされるレンタル自転車に変わって、自転車本体と、前記自転車本体に設けられ車輪の回転を検知できる回転検知手段と、前記自転車本体に搭載される自転車搭載機器と、を備え、前記自転車搭載機器がレンタル待ち状態であることを意味する設定である初期設定をされた以降に最初に前記回転検知手段が車輪の所定の回転量の回転を検知した時の時刻を第一時刻として記録する、ものとした。【選択図】    図１
2017217930.tif 000002
【特許請求の範囲】
【請求項１】
利用者の利用に供するためにレンタルされるレンタル自転車であって、
自転車本体と、
前記自転車本体に設けられ車輪の回転を検知できる回転検知手段と、
前記自転車本体に搭載される自転車搭載機器と、
を備え、
前記自転車搭載機器がレンタル待ち状態であることを意味する設定である初期設定をされた以降に最初に前記回転検知手段が車輪の所定の回転量の回転を検知した時の時刻を第一時刻として記録する、
ことを特徴とするレンタル自転車。
【請求項２】
前記自転車搭載機器が、レンタルを終了することを意味するレンタル終了信号を受けることをでき、該レンタル終了信号を受け取った時刻を第二時刻として記録し、前記第一時刻と前記第二時刻との差分をレンタル時間として算出する、
ことを特徴とする請求項１に記載のレンタル自転車。
【請求項３】
前記自転車搭載機器が、レンタル待ち状態であることを意味する設定である初期設定をされた以降に最初に前記回転検知手段が車輪の所定の回転量の回転を検知した時に、利用者にレンタル自転車を利用する際の注意にかかる情報であるレンタル注意情報を提示する、
ことを特徴とする請求項２に記載のレンタル自転車。
【請求項４】
前記自転車搭載機器が、レンタル待ち状態であることを意味する設定である初期設定をされた以降に最初に前記回転検知手段が車輪の所定の回転量の回転を検知した時から、利用者にレンタル自転車の現在位置を逐次に提示する、
ことを特徴とする請求項３に記載のレンタル自転車。
【請求項５】
前記自転車搭載機器が、レンタル待ち状態であることを意味する設定である初期設定をされた以降に最初に前記回転検知手段が車輪の所定の回転量の回転を検知した時から、利用者にレンタル自転車の現在の位置の近傍に存在する受入可駐車場に係る情報を逐次に提示し、
前記受入可駐車場はレンタル自転車を駐車させる空車状態の駐車空間をもつ駐車場である、
ことを特徴とする請求項４に記載のレンタル自転車。
【請求項６】
前記自転車搭載機器が、レンタル待ち状態であることを意味する設定である初期設定をされた以降に最初に前記回転検知手段が車輪の所定の回転量の回転を検知した時から、現在までの時間であるレンタル経過時間を利用者に逐次に提示する、
ことを特徴とする請求項５に記載のレンタル自転車。
【請求項７】
前記自転車搭載機器が、レンタル待ち状態であることを意味する設定である初期設定をされた以降に最初に前記回転検知手段が車輪の所定の回転量の回転を検知した時から、利用者にレンタル自転車の現在位置の近傍の観光地にかかる情報である観光地情報を逐次に提示する、
ことを特徴とする請求項６に記載のレンタル自転車。
【請求項８】
前記自転車搭載機器が、予定返却時刻を記憶しており、レンタル待ち状態であることを意味する設定である初期設定をされた以降に最初に前記回転検知手段が車輪の所定の回転量の回転を検知した時から、利用者に現在の時刻から前記予定返却時刻までの時間を逐次に提示する、
ことを特徴とする請求項７に記載のレンタル自転車。
【請求項９】
前記自転車搭載機器が、レンタル待ち状態であることを意味する設定である初期設定をされた以降に最初に前記回転検知手段が車輪の所定の回転量の回転を検知した時に、利用者にレンタル自転車を利用する際の注意にかかる情報であるレンタル注意情報を提示する、
ことを特徴とする請求項１に記載のレンタル自転車。
【請求項１０】
前記自転車搭載機器が、レンタル待ち状態であることを意味する設定である初期設定をされた以降に最初に前記回転検知手段が車輪の所定の回転量の回転を検知した時から、利用者にレンタル自転車の現在位置を逐次に提示する、
ことを特徴とする請求項１に記載のレンタル自転車。
【請求項１１】
前記自転車搭載機器が、レンタル待ち状態であることを意味する設定である初期設定をされた以降に最初に前記回転検知手段が車輪の所定の回転量の回転を検知した時から、利用者にレンタル自転車の現在の位置の近傍に存在する受入可駐車場に係る情報を逐次に提示し、
前記受入可駐車場はレンタル自転車を駐車させる空車状態の駐車空間をもつ駐車場である、
ことを特徴とする請求項１に記載のレンタル自転車。
【請求項１２】
前記自転車搭載機器が、レンタル待ち状態であることを意味する設定である初期設定をされた以降に最初に前記回転検知手段が車輪の所定の回転量の回転を検知した時から、現在までの時間であるレンタル経過時間を利用者に逐次に提示する、
ことを特徴とする請求項１に記載のレンタル自転車。
【請求項１３】
前記自転車搭載機器が、レンタル待ち状態であることを意味する設定である初期設定をされた以降に最初に前記回転検知手段が車輪の所定の回転量の回転を検知した時から、利用者にレンタル自転車の現在位置の近傍の観光地にかかる情報である観光地情報を逐次に提示する、
ことを特徴とする請求項１に記載のレンタル自転車。
【請求項１４】
前記自転車搭載機器が、予定返却時刻を記憶しており、レンタル待ち状態であることを意味する設定である初期設定をされた以降に最初に前記回転検知手段が車輪の所定の回転量の回転を検知した時から、利用者に現在の時刻から前記予定返却時刻までの時間を逐次に提示する、
ことを特徴とする請求項１に記載のレンタル自転車。
【請求項１５】
利用者の利用に供するためレンタル自転車をレンタルする自転車レンタルシステムであって、
自転車本体と前記自転車本体に搭載される自転車搭載機器とを有する複数のレンタル自転車と、
前記レンタル自転車を駐車可能な駐車場と、
複数の前記レンタル自転車を各々に駐車できる様に（複数の）駐車場を管理するサーバと、
を備え、
前記サーバが複数の駐車場のうちからレンタル自転車を駐車させる空車状態の駐車空間をもつ駐車場を受入可駐車場として記録し更新し、
前記サーバがレンタル中の前記レンタル自転車の現在の位置の近傍に存在する前記受入可駐車場の情報である受入可駐車場情報を該レンタル自転車の前記自転車搭載機器へ逐次に送信し、
前記自転車搭載機器が利用者に前記受入可駐車場情報を適時に提示する、
ことを特徴とする、
自転車レンタルシステム。
【請求項１６】
前記サーバがレンタル中の前記レンタル自転車の現在の位置の近傍に存在する観光地の案内に係る情報である観光地情報を該レンタル自転車の前記自転車搭載機器へ逐次に送信し、
前記自転車搭載機器が利用者に前記観光地情報に適時に提示する、
ことを特徴とする請求項１５に記載の自転車レンタルシステム。
【請求項１７】
前記サーバがレンタル中の前記レンタル自転車の前記自転車搭載機器に予定返却時刻を送信し、
前記自転車搭載機器が利用者に現在の時刻から前記予定返却時刻までの時間を適時に提示する、
ことを特徴とする請求項１６に記載の自転車レンタルシステム。
【請求項１８】
前記サーバがレンタル中の前記レンタル自転車の前記自転車搭載機器に自転車をレンタルする際の注意に係る情報であるレンタル注意情報を送信し、
前記自転車搭載機器が利用者に前記レンタル注意情報を提示する、
ことを特徴とする請求項１７に記載の自転車レンタルシステム。
【請求項１９】
前記サーバがレンタル中の前記レンタル自転車の前記自転車搭載機器にレンタルを終了することを意味するレンタル終了信号を送信し、
前記自転車搭載機器が、前記レンタル終了信号を受けることをでき、該レンタル終了信号を受け取った時刻をレンタル終了時刻として記録し、レンタル開始時刻と前記レンタル終了時刻との差分をレンタル時間として算出する、
ことを特徴とする請求項１８に記載の自転車レンタルシステム。
【請求項２０】
前記自転車が前記自転車本体に設けられ車輪の回転を検知できる回転検知手段を持ち、
前記自転車搭載機器がレンタル待ち状態であることを意味する設定である初期設定をされた以降に最初に前記回転検知手段が車輪の所定の回転量の回転を検知する時の時刻を第一時刻として、該第一時刻をレンタル開始時刻として前記サーバに送信する、
ことを特徴とする請求項１９に記載の自転車レンタルシステム。
【請求項２１】
前記サーバがレンタル中の前記レンタル自転車の前記自転車搭載機器に予定返却時刻を送信し、
前記自転車搭載機器が利用者に現在の時刻から前記予定返却時刻までの時間を適時に提示する、
ことを特徴とする請求項１５に記載の自転車レンタルシステム。
【請求項２２】
前記サーバがレンタル中の前記レンタル自転車の前記自転車搭載機器に自転車をレンタルする際の注意に係る情報であるレンタル注意情報を送信し、
前記自転車搭載機器が利用者に前記レンタル注意情報を提示する、
ことを特徴とする請求項１５に記載の自転車レンタルシステム。
【請求項２３】
前記サーバがレンタル中の前記レンタル自転車の前記自転車搭載機器にレンタルを終了することを意味するレンタル終了信号を送信し、
前記自転車搭載機器が、前記レンタル終了信号を受けることをでき、該レンタル終了信号を受け取った時刻をレンタル終了時刻として記録し、レンタル開始時刻と前記レンタル終了時刻との差分をレンタル時間として算出する、
ことを特徴とする請求項１５に記載の自転車レンタルシステム。
【請求項２４】
前記自転車が前記自転車本体に設けられ車輪の回転を検知できる回転検知手段を持ち、
前記自転車搭載機器がレンタル待ち状態であることを意味する設定である初期設定をされた以降に最初に前記回転検知手段が車輪の所定の回転量の回転を検知する時の時刻を第一時刻として、該第一時刻をレンタル開始時刻として前記サーバに送信する、
ことを特徴とする請求項１５に記載の自転車レンタルシステム。
【発明の詳細な説明】
【技術分野】
【０００１】
本発明は、利用者の利用に供するためにレンタルされるレンタル自転車と利用者の利用に供するためそのレンタル自転車をレンタルする自転車レンタルシステムに係る。
【背景技術】
【０００２】
複数の車両を駐車させるのに駐車装置を用いることがある。
駐車装置は、車両を入出庫空間と駐車空間との間で移載させて駐車空間に駐車させる。
例えば、記載式駐車装置は、車両をパレットに乗せ、パレットを入出庫空間と駐車空間との間で移載させて駐車空間に駐車させる。
【０００３】
他方、自転車の利用が進んでいる。
特に電動自転車の利用が進んでいる。
しかし、都会では、自転車の駐輪場所が不足している。
【０００４】
自動車を利用する機会が少なくなって、将来に向け、主要都市は自動車専用道を建設している。
外国観光客が増えることが予測され、自転車移動を簡易にできる様にすることを目的の一つとしている。
例えば、東京都は「東京都自転車走行空間整備推進計画」を実施中である。
自転車の利用促進はＣＯ２削減にも効果がある。
「観光スポットエリア街」「商店街」「観光会社」等と、街の活性化にも効果がある。
【０００５】
その背景として以下のことが上げられる。
東京都は、オリンピック開催を目指して、自転車レーンの整備を実施している。２０１１年度に１１２ｋｍ、２０２０年度には２２１ｋｍを整備延長する予定である。
一方、若者層の減少や若者の車離れが続いている。
毎年、１００基程度の既設駐車装置が解体されており、解体せずに利用する方法を検討すべきである。
例えば、レンタカー、レンタル自転車等に利用することが考えられる。
また、マンション向けに電動アシスト自転車の保管場所として利用することも考えられる。
【０００６】
レンタル自転車の運用として以下のことが考えられる。
一定の地域を限定し、機械式駐車装置に自転車を駐車させる設備を追加し、自転車をレンタルする。また、電動自転車の充電装置を設置する。
機械式駐車装置を用いて、レンタカーとレンタル自転車とを同時並行におこなうことができる。
【０００７】
都市内には、集客力のある「観光スポット」がある。東京都であれば「スカイツリー」「浅草寺」「グルメタウン」欧米人に大人気の」「ラーメン店」等の観光スポット案内を含めた営業をすることができる。
将来的には、中央監視室（パスク）との通信を行い、ビックデータ処理により、より広範囲に対応できる。
【０００８】
従って、利便性の高いレンタル自転車とそのレンタル自転車をレンタルする自転車レンタルシステムとを提供することが求められる。
【発明の概要】
【発明が解決しようとする課題】
【０００９】
本発明は以上に述べた問題点に鑑み案出されたもので、利便性の高いレンタル自転車とそのレンタル自転車をレンタルする自転車レンタルシステムとを提供しようとする。
【課題を解決するための手段】
【００１０】
上記目的を達成するため、本発明に係る利用者の利用に供するためにレンタルされるレンタル自転車であって、自転車本体と、前記自転車本体に設けられ車輪の回転を検知できる回転検知手段と、前記自転車本体に搭載される自転車搭載機器と、を備え、前記自転車搭載機器がレンタル待ち状態であることを意味する設定である初期設定をされた以降に最初に前記回転検知手段が車輪の所定の回転量の回転を検知した時の時刻を第一時刻として記録する、ものとした。
【００１１】
上記本発明の構成により、回転検知手段が、前記自転車本体に設けられ車輪の回転を検知できる。自転車搭載機器が、前記自転車本体に搭載される。前記自転車搭載機器がレンタル待ち状態であることを意味する設定である初期設定をされた以降に最初に前記回転検知手段が車輪の所定の回転量の回転を検知した時の時刻を第一時刻として記録する。
その結果、レンタル待ち状態であることを意味する設定である初期設定をされた以降に最初に車輪が所定の回転量だけ回転した時刻である第一時刻を基準時刻としてレンタル自転車を管理できる。
【００１２】
以下に、本発明の実施形態に係るレンタル自転車を説明する。本発明は、以下に記載した実施形態のいずれか、またはそれらの中の二つ以上が組み合わされた態様を含む。
【００１３】
本発明の実施形態に係るレンタル自転車は、前記自転車搭載機器が、レンタルを終了することを意味するレンタル終了信号を受けることをでき、該レンタル終了信号を受け取った時刻を第二時刻として記録し、前記第一時刻と前記第二時刻との差分をレンタル時間として算出する。
上記の実施形態の構成により、前記自転車搭載機器が、レンタルを終了することを意味するレンタル終了信号を受けることをできる。前記自転車搭載機器が、該レンタル終了信号を受け取った時刻を第二時刻として記録し、前記第一時刻と前記第二時刻との差分をレンタル時間として算出する。
その結果、簡易にレンタル時間を得ることができる。
【００１４】
本発明の実施形態に係るレンタル自転車は、前記自転車搭載機器が、レンタル待ち状態であることを意味する設定である初期設定をされた以降に最初に前記回転検知手段が車輪の所定の回転量の回転を検知した時に、利用者にレンタル自転車を利用する際の注意にかかる情報であるレンタル注意情報を提示する。
上記の実施形態の構成により、前記自転車搭載機器が、レンタル待ち状態であることを意味する設定である初期設定をされた以降に最初に前記回転検知手段が車輪の所定の回転量の回転を検知した時に、利用者がレンタル自転車を利用する際の注意を知ることができる。
その結果、レンタル自転車の利用者はレンタル注意情報を適時に知ることができる。
【００１５】
本発明の実施形態に係るレンタル自転車は、前記自転車搭載機器が、レンタル待ち状態であることを意味する設定である初期設定をされた以降に最初に前記回転検知手段が車輪の所定の回転量の回転を検知した時から、利用者にレンタル自転車の現在位置を逐次に提示する。
上記の実施形態の構成により、前記自転車搭載機器が、レンタル待ち状態であることを意味する設定である初期設定をされた以降に最初に前記回転検知手段が車輪の所定の回転量の回転を検知した時から、利用者にレンタル自転車の現在位置を逐次に提示する。
その結果、レンタル自転車の利用者は現在位置を適時に知ることができる。
【００１６】
本発明の実施形態に係るレンタル自転車は、前記自転車搭載機器が、レンタル待ち状態であることを意味する設定である初期設定をされた以降に最初に前記回転検知手段が車輪の所定の回転量の回転を検知した時から、利用者にレンタル自転車の現在の位置の近傍に存在する受入可駐車場に係る情報を逐次に提示し、
前記受入可駐車場はレンタル自転車を駐車させる空車状態の駐車空間をもつ駐車場である。
上記の実施形態の構成により、前記自転車搭載機器が、レンタル待ち状態であることを意味する設定である初期設定をされた以降に最初に前記回転検知手段が車輪の所定の回転量の回転を検知した時から、利用者にレンタル自転車の現在の位置の近傍に存在する受入可駐車場に係る情報を逐次に提示する。前記受入可駐車場はレンタル自転車を駐車させる空車状態の駐車空間をもつ駐車場である。
その結果、利用者がレンタル自転車を現在位置の近傍の受入可駐車場を逐次に知ることができる。
【００１７】
本発明の実施形態に係るレンタル自転車は、前記自転車搭載機器が、レンタル待ち状態であることを意味する設定である初期設定をされた以降に最初に前記回転検知手段が車輪の所定の回転量の回転を検知した時から、現在までの時間であるレンタル経過時間を利用者に逐次に提示する。
上記の実施形態の構成により、前記自転車搭載機器が、レンタル待ち状態であることを意味する設定である初期設定をされた以降に最初に前記回転検知手段が車輪の所定の回転量の回転を検知した時から、現在までの時間であるレンタル経過時間を利用者に逐次に提示する。
その結果、連絡自転車の利用者はレンタル経過時間を逐次に知ることができる。
【００１８】
本発明の実施形態に係るレンタル自転車は、前記自転車搭載機器が、レンタル待ち状態であることを意味する設定である初期設定をされた以降に最初に前記回転検知手段が車輪の所定の回転量の回転を検知した時から、利用者にレンタル自転車の現在位置の近傍の観光地にかかる情報である観光地情報を逐次に提示する。
上記の実施形態の構成により、前記自転車搭載機器が、レンタル待ち状態であることを意味する設定である初期設定をされた以降に最初に前記回転検知手段が車輪の所定の回転量の回転を検知した時から、利用者にレンタル自転車の現在位置の近傍の観光地にかかる情報である観光地情報を逐次に提示する。
その結果、利用者はレンタル自転車の現在位置の近傍の観光地情報を逐次に知ることができる。
【００１９】
本発明の実施形態に係るレンタル自転車は、前記自転車搭載機器が、予定返却時刻を記憶しており、レンタル待ち状態であることを意味する設定である初期設定をされた以降に最初に前記回転検知手段が車輪の所定の回転量の回転を検知した時から、利用者に現在の時刻から前記予定返却時刻までの時間を逐次に提示する。
上記の実施形態の構成により、前記自転車搭載機器が、予定返却時刻を記憶しており、レンタル待ち状態であることを意味する設定である初期設定をされた以降に最初に前記回転検知手段が車輪の所定の回転量の回転を検知した時から、利用者に現在の時刻から前記予定返却時刻までの時間を逐次に提示する。
その結果、利用者は、現在の時刻から前記予定返却時刻までの時間を逐次に知ることができる。
【００２０】
上記目的を達成するため、本発明に係る利用者の利用に供するためレンタル自転車をレンタルする自転車レンタルシステムであって、自転車本体と前記自転車本体に搭載される自転車搭載機器とを有する複数のレンタル自転車と、前記レンタル自転車を駐車可能な駐車場と、複数の前記レンタル自転車を各々に駐車できる複数の駐車場を管理するサーバと、を備え、前記サーバが複数の駐車場のうちからレンタル自転車を駐車させる空車状態の駐車空間をもつ駐車場を受入可駐車場として記録し更新し、前記サーバがレンタル中の前記レンタル自転車の現在の位置の近傍に存在する前記受入可駐車場の情報である受入可駐車場情報を該レンタル自転車の前記自転車搭載機器へ逐次に送信し、前記自転車搭載機器が利用者に前記受入可駐車場情報を適時に提示する、ものとした。
【００２１】
上記本発明の構成により、複数のレンタル自転車とサーバとを備える。レンタル自転車は、自転車本体と前記自転車本体に搭載される自転車搭載機器とを有する。サーバは、複数の前記レンタル自転車を各々に駐車できる複数の駐車場を管理する。前記サーバが複数の駐車場のうちからレンタル自転車を駐車させる空車状態の駐車空間をもつ駐車場を受入可駐車場として記録し更新する。前記サーバがレンタル中の前記レンタル自転車の現在の位置の近傍に存在する前記受入可駐車場の情報である受入可駐車場情報を該レンタル自転車の前記自転車搭載機器へ逐次に送信する。前記自転車搭載機器が利用者に前記受入可駐車場情報を適時に提示する。
その結果、利用者がレンタル自転車を現在位置の近傍の受入可駐車場を逐次に知ることができる。
【００２２】
以下に、本発明の実施形態に係る自転車レンタルシステムを説明する。本発明は、以下に記載した実施形態のいずれか、またはそれらの中の二つ以上が組み合わされた態様を含む。
【００２３】
本発明の実施形態に係る自転車レンタルシステムは、前記サーバがレンタル中の前記レンタル自転車の現在の位置の近傍に存在する観光地の案内に係る情報である観光地情報を該レンタル自転車の前記自転車搭載機器へ逐次に送信し、前記自転車搭載機器が利用者に前記観光地情報に適時に提示する。
上記の実施形態の構成により、前記サーバがレンタル中の前記レンタル自転車の現在の位置の近傍に存在する観光地の案内に係る情報である観光地情報を該レンタル自転車の前記自転車搭載機器へ逐次に送信しする。前記自転車搭載機器が利用者に前記観光地情報に適時に提示する。
その結果、利用者はレンタル自転車の現在位置の近傍の観光地情報を逐次に知ることができる。
【００２４】
本発明の実施形態に係る自転車レンタルシステムは、前記サーバがレンタル中の前記レンタル自転車の前記自転車搭載機器に予定返却時刻を送信し、前記自転車搭載機器が利用者に現在の時刻から前記予定返却時刻までの時間を適時に提示する。
上記の実施形態の構成により、前記サーバがレンタル中の前記レンタル自転車の前記自転車搭載機器に予定返却時刻を送信する。前記自転車搭載機器が利用者に現在の時刻から前記予定返却時刻までの時間を適時に提示する。
その結果、利用者は、現在の時刻から前記予定返却時刻までの時間を逐次に知ることができる。
【００２５】
本発明の実施形態に係る自転車レンタルシステムは、前記サーバがレンタル中の前記レンタル自転車の前記自転車搭載機器に自転車をレンタルする際の注意に係る情報であるレンタル注意情報を送信し、前記自転車搭載機器が利用者に前記レンタル注意情報を提示する。
上記の実施形態の構成により、前記サーバがレンタル中の前記レンタル自転車の前記自転車搭載機器に自転車をレンタルする際の注意に係る情報であるレンタル注意情報を送信する。前記自転車搭載機器が利用者に前記レンタル注意情報を提示する。
その結果、レンタル自転車の利用者はレンタル注意情報を適時に知ることができる。
【００２６】
本発明の実施形態に係る自転車レンタルシステムは、前記サーバがレンタル中の前記レンタル自転車の前記自転車搭載機器にレンタルを終了することを意味するレンタル終了信号を送信し、前記自転車搭載機器が、前記レンタル終了信号を受けることをでき、該レンタル終了信号を受け取った時刻をレンタル終了時刻として記録し、レンタル開始時刻と前記レンタル終了時刻との差分をレンタル時間として算出する。
上記の実施形態の構成により、前記サーバがレンタル中の前記レンタル自転車の前記自転車搭載機器にレンタルを終了することを意味するレンタル終了信号を送信する。前記自転車搭載機器が、前記レンタル終了信号を受けることをできる。前記自転車搭載機器が、該レンタル終了信号を受け取った時刻をレンタル終了時刻として記録し、レンタル開始時刻と前記レンタル終了時刻との差分をレンタル時間として算出する。
その結果、簡易にレンタル時間を得ることができる。
【００２７】
本発明の実施形態に係る自転車レンタルシステムは、前記自転車が前記自転車本体に設けられ車輪の回転を検知できる回転検知手段を持ち、前記自転車搭載機器がレンタル待ち状態であることを意味する設定である初期設定をされた以降に最初に前記回転検知手段が車輪の所定の回転量の回転を検知する時の時刻を第一時刻として、該第一時刻をレンタル開始時刻として前記サーバに送信する。
上記の実施形態の構成により、前記自転車が前記自転車本体に設けられ車輪の回転を検知できる回転検知手段を持つ。前記自転車搭載機器がレンタル待ち状態であることを意味する設定である初期設定をされた以降に最初に前記回転検知手段が車輪の所定の回転量の回転を検知する時の時刻を第一時刻として、該第一時刻をレンタル開始時刻として前記サーバに送信する。
その結果、サーバは簡易にレンタル開始時刻を知ることができる。
【発明の効果】
【００２８】
以上説明したように、本発明に係るレンタル自転車は、その構成により、以下の効果を有する。
自転車本体に搭載される前記自転車搭載機器がレンタル待ち状態であることを意味する設定である初期設定をされた以降に最初に前記回転検知手段が車輪の所定の回転量の回転を検知した時の時刻を第一時刻として記録する様にしたので、レンタル待ち状態であることを意味する設定である初期設定をされた以降に最初に車輪が所定の回転量だけ回転した時刻である第一時刻を基準時刻としてレンタル自転車を管理できる。
また、レンタルを終了することを意味するレンタル終了信号を受け取った時刻を第二時刻として記録し、前記第一時刻と前記第二時刻との差分をレンタル時間として算出する様にしたので、簡易にレンタル時間を得ることができる。
また、レンタル待ち状態であることを意味する設定である初期設定をされた以降に最初に前記回転検知手段が車輪の所定の回転量の回転を検知した時に、利用者にレンタル自転車を利用する際の注意にかかる情報であるレンタル注意情報を提示する様にしたので、レンタル自転車の利用者はレンタル注意情報を適時に知ることができる。
また、レンタル待ち状態であることを意味する設定である初期設定をされた以降に最初に前記回転検知手段が車輪の所定の回転量の回転を検知した時から、利用者にレンタル自転車の現在位置を逐次に提示する様にしたので、レンタル自転車の利用者は現在位置を適時に知ることができる。
また、レンタル待ち状態であることを意味する設定である初期設定をされた以降に最初に前記回転検知手段が車輪の所定の回転量の回転を検知した時から、利用者にレンタル自転車の現在の位置の近傍に存在するレンタル自転車を駐車させる空車状態の駐車空間をもつ受入可駐車場に係る情報を逐次に提示する様にしたので、利用者がレンタル自転車を現在位置の近傍の受入可駐車場を逐次に知ることができる。
また、レンタル待ち状態であることを意味する設定である初期設定をされた以降に最初に前記回転検知手段が車輪の所定の回転量の回転を検知した時から、現在までの時間であるレンタル経過時間を利用者に逐次に提示する様にしたので、連絡自転車の利用者はレンタル経過時間を逐次に知ることができる。
また、レンタル待ち状態であることを意味する設定である初期設定をされた以降に最初に前記回転検知手段が車輪の所定の回転量の回転を検知した時から、利用者にレンタル自転車の現在位置の近傍の観光地にかかる情報である観光地情報を逐次に提示する様にしたので、利用者はレンタル自転車の現在位置の近傍の観光地情報を逐次に知ることができる。
また、予定返却時刻を記憶しており、レンタル待ち状態であることを意味する設定である初期設定をされた以降に最初に前記回転検知手段が車輪の所定の回転量の回転を検知した時に、その後で利用者に現在の時刻から前記予定返却時刻までの時間を逐次に提示する様にしたので、利用者は、現在の時刻から前記予定返却時刻までの時間を逐次に知ることができる。
【００２９】
以上説明したように、本発明に係る自転車レンタルシステムは、その構成により、以下の効果を有する。
サーバが、自転車搭載機器を搭載する複数のレンタル自転車を各々に駐車できる複数の駐車場を管理し、複数の駐車場のうちからレンタル自転車を駐車させる空車状態の駐車空間をもつ駐車場を受入可駐車場として記録し更新し、レンタル中の前記レンタル自転車の現在の位置の近傍に存在する前記受入可駐車場の情報である受入可駐車場情報を該レンタル自転車の前記自転車搭載機器へ逐次に送信し、前記自転車搭載機器が利用者に前記受入可駐車場情報を適時に提示する様にしたので、利用者がレンタル自転車を現在位置の近傍の受入可駐車場を逐次に知ることができる。
また、レンタル中の前記レンタル自転車の現在の位置の近傍に存在する観光地の案内に係る情報である観光地情報を該レンタル自転車の前記自転車搭載機器へ逐次に送信し、利用者に前記観光地情報に適時に提示する様にしたので、利用者はレンタル自転車の現在位置の近傍の観光地情報を逐次に知ることができる。
また、レンタル中のレンタル自転車の前記自転車搭載機器に予定返却時刻を送信し、利用者に現在の時刻から前記予定返却時刻までの時間を適時に提示する様にしたので、利用者は、現在の時刻から前記予定返却時刻までの時間を逐次に知ることができる。
また、レンタル中のレンタル自転車の前記自転車搭載機器に自転車をレンタルする際の注意に係る情報であるレンタル注意情報を送信し、利用者に前記レンタル注意情報を提示する様にしたので、レンタル自転車の利用者はレンタル注意情報を適時に知ることができる。
また、レンタル中のレンタル自転車の前記自転車搭載機器にレンタルを終了することを意味するレンタル終了信号を送信し、該レンタル終了信号を受け取った時刻をレンタル終了時刻として記録し、レンタル開始時刻と前記レンタル終了時刻との差分をレンタル時間として算出する様にしたので、簡易にレンタル時間を得ることができる。
また、  レンタル待ち状態であることを意味する設定である初期設定をされた以降に最初に前記回転検知手段が車輪の所定の回転量の回転を検知する時の時刻を第一時刻として、該第一時刻をレンタル開始時刻として前記サーバに送信する様にしたので、サーバは簡易にレンタル開始時刻を知ることができる。
従って、利便性の高いレンタル自転車とそのレンタル自転車をレンタルする自転車レンタルシステムとを提供できる。
【図面の簡単な説明】
【００３０】
【図１】本発明の実施形態に係るレンタル自転車の概念図である。
【図２】本発明の実施形態に係る駐車場の概念図である。
【図３】本発明の実施形態に係る自転車パレットの正面図である。
【図４】本発明の実施形態に係る自転車パレットの平面図である。
【図５】本発明の実施形態に係る自転車レンタルシステムの概念図である。
【図６】本発明の実施形態に係る自転車搭載機器の表示部の一例の図である。
【図７】本発明の実施形態に係る自転車レンタルシステムの部分シーケンス図である。
【図８】本発明の実施形態に係る自転車レンタルシステムのシーケンス図である。
【発明を実施するための形態】
【００３１】
以下、本発明を実施するための形態を、図面を参照して説明する。
【００３２】
最初に、本発明の実施形態にかかるレンタル自転車を、図を基に、説明する。
図１は、本発明の実施形態に係るレンタル自転車の概念図である。図２は、本発明の実施形態に係る駐車装置の概念図である。図３は、本発明の実施形態に係る自転車パレットの正面図である。図４は、本発明の実施形態に係る自転車パレットの平面図である。図６は、本発明の実施形態に係る自転車搭載機器の表示部の一例の図である。
【００３３】
本発明の実施形態にかかるレンタル自転車を、図を基に、説明する。
レンタル自転車６は、利用者の利用に供するためにレンタルされる自転車である。
レンタル自転車６は、自転車本体６ａと自転車搭載機器６ｃとで構成される。
レンタル自転車６は、自転車本体６ａと回転検知手段６ｂと自転車搭載機器６ｃとで構成されてもよい。
【００３４】
自転車本体６ａは、自転車の本体である。
自転車本体６ａは、メインフレームとフォークとハンドルとペダルと駆動機械要素と前輪と後輪とで構成される。
自転車本体６ａは、メインフレームとフォークとハンドルとペダルと駆動機械要素と前輪と後輪と前キャリアと後キャリアとで構成されてもよい。
自転車本体６ａは、メインフレームとフォークとハンドルとペダルと駆動機械要素と前輪と後輪と前キャリアと後キャリアとバッテリとで構成されてもよい。
メインフレームは、フレームである。
フォークは、メインフレームに回転自在に支持され、前輪を回転自在に支持する構造である。
ハンドルは、フォークの上端部に固定され、人力によりフォークを揺動させる構造である。
ペダルは、メインフレームの下端部に回転自在に固定される。
駆動機械要素は、ペダルに人力で入力された回転力を後輪に伝達する機械要素である。
駆動機械要素は、チェーン、ベルト、スプロケット、等で構成される。
前輪は、フォークの前端部に回転自在に固定されるタイヤとリムとフォークとハブで構成される車輪である。
後輪は、メインフレームの後端部に回転自在に固定されるタイヤとリムとフォークとハブで構成される車輪である。
前キャリアは、前輪の上方に固定される収納部材である。
後キャリアは、後輪の上方に固定される収納部材である。
バッテリは、駆動チェーンを駆動する電力を供給する。
【００３５】
回転検知手段６ｂは、自転車本体６ａに設けられ車輪の回転を検知できるものである。
回転検知手段６ｂは、自転車本体６ａに設けられ車輪の回転を検知できるセンサであってもよい。
回転検知手段６ｂは、自転車本体６ａに設けられ車輪の回転を検知できる光学センサであってもよい。
例えば、回転検知手段６ｂは、前輪または後輪の回転を検知する。回転検知手段６ｂは、前輪または後輪の回転をカウントして、回転量を計測できてもよい。
【００３６】
自転車搭載機器６ｃは、自転車本体６ｃに搭載される。
自転車搭載機器６ｃは、表示画面、音声発生器等を備えはコンピュータシステムであてもよい。
自転車搭載機器６ｃは、インストールされたソフトウエアにより、各種の機能を発揮する。
自転車搭載機器６ｃは、利用者に情報を提示するために、情報を表示する表示部をもってもよい。
自転車搭載機器６ｃは、利用者に情報を提示するために、情報を発声する音声部をもってもよい。
【００３７】
自転車搭載機器６ｃが、レンタル待ち状態であることを意味する設定である初期設定をされた以降に、最初に回転検知手段６ｂが車輪の所定の回転量の回転を検知した時の時刻を第一時刻として記録してもよい。
例えば、レンタル自転車がレンタル待ち状態になると、自転車搭載機器６ｃが、初期設定される。
例えば、レンタル自転車６が後述する自転車ラック８ｂに置かれ、レンタル待ち状態になったときに、自転車搭載機器６ｃが、初期設定される。
例えば、レンタル自転車６がレンタルのための自転車ラック８ｂから引き出されるときに、車輪が回転し、回転検知手段６ｂが車輪の所定の回転量の回転を検知する。
自転車搭載機器６ｃが、レンタル待ち状態であることを意味する設定である初期設定をされた以降に、最初に回転検知手段６ｂが車輪の所定の回転量の回転を検知した時の時刻を第一時刻として記録する。
この様にすると、第一時刻をレンタル開始時刻とみなすことで、簡易にレンタル開始時刻を決定できる。
【００３８】
自転車搭載機器６ｃが、レンタルを終了することを意味するレンタル終了信号を受けることをでき、レンタル終了信号を受け取った時刻を第二時刻として記録してもよい。
自転車搭載機器６ｃが、第一時刻と第二時刻との差分をレンタル時間として算出してもよい。
例えば、利用者が自転車搭載機器６ｃを操作することで、レンタルを終了することを意味するレンタル終了信号を入力する。
例えば、後述するサーバ２００が、レンタルを終了することを意味するレンタル終了信号を自転車搭載機器６ｃに通信により入力できる。
この様にすると、レンタル終了時刻を確定できて、簡易にレンタル時間に対応してレンタル料金を徴収できる。
【００３９】
自転車搭載機器６ｃが、レンタル待ち状態であることを意味する設定である初期設定をされた以降に、最初に回転検知手段６ｂが車輪の所定の回転量の回転を検知した時に、利用者にレンタル自転車６を利用する際の注意にかかる情報であるレンタル注意情報を提示する。
レンタル注意情報は、レンタル自転車６を利用する際の注意にかかる情報である・
例えば、自転車搭載機器６ｃは、内蔵するメモリにレンタル注意情報を記憶する。
例えば、自転車搭載機器６ｃは、後述するサーバ２００からレンタル注意情報を通信で内蔵メモリに入力する。
例えば、自転車搭載機器６ｃが、レンタル待ち状態であることを意味する設定である初期設定をされた以降に、最初に回転検知手段６ｂが車輪の所定の回転量の回転を検知した時に、利用者に内蔵メモリに記録されるレンタル注意情報を提示する。
この様にすると、利用者は適時にレンタル注意情報を確認することができる。
【００４０】
自転車搭載機器６ｃが、レンタル待ち状態であることを意味する設定である初期設定をされた以降に、最初に回転検知手段６ｂが車輪の所定の回転量の回転を検知した時から、利用者にレンタル自転車の現在位置を逐次に提示する。
例えば、自転車搭載機器６ｃは位置測位機能を持つ。
例えば、自転車搭載機器６ｃはＧＰＳに対応した位置測位機能を持つ。
例えば、自転車搭載機器６ｃは地上局からの位置情報を入力できる位置測位機能を持つ。
例えば、自転車搭載機器６ｃは、表示部に現在位置の地図を表示できる。
この様にすることで、利用者はレンタル自転車６レンタル自転車に乗って走行中に連続して、現在位置を確認できる。
【００４１】
自転車搭載機器６ｃが、レンタル待ち状態であることを意味する設定である初期設定をされた以降に、最初に回転検知手段６ｂが車輪の所定の回転量の回転を検知した時から、利用者にレンタル自転車の現在の位置の近傍に存在する受入可駐車場に係る情報を逐次に提示できる。
ここで、受入可駐車場はレンタル自転車を駐車させる空車状態の駐車空間をもつ駐車場である。
例えば、自転車搭載機器６ｃは、後述するサーバ２００に現在位置を送信し、サーバ２００から受入可駐車場にかかる情報を入力し、表示部に受入可駐車場にかかる情報を表す。
サーバ２００は、複数の駐車場のなかからンタル自転車を駐車させる空車状態の駐車空間をもつ駐車場を特定する。
サーバ２００は、逐次に変化する受入可駐車場にかかる情報を更新して、自転車搭載機器６ｃに送信する。
自転車搭載機器６ｃは、受信された受入可駐車場にかかる情報を利用者に提示する。
例えば、自転車搭載機器６ｃは、受信された受入可駐車場にかかる情報を表示部に表示する。
例えば、自転車搭載機器６ｃは、表示する地図に受入可駐車場の位置をアイコン等で表示する。
この様にすると、利用者は、レンタル自転車に乗って走行中に受入可駐車場の存在とその位置等を確認できる。
【００４２】
自転車搭載機器６ｃが、レンタル待ち状態であることを意味する設定である初期設定をされた以降に、最初に回転検知手段が車輪の所定の回転量の回転を検知した時から、現在までの時間であるレンタル経過時間を利用者に逐次に提示してっもよい。
例えば、自転車搭載機器が、第一時刻から現在までの時間であるレンタル経過時間を利用者に逐次に提示してもよい。
例えば、自転車搭載機器が、レンタル経過時間を表示部に逐次に表示する。
この様にすると、利用者は走行中にレンタル経過時間を逐次に確認できる。
【００４３】
自転車搭載機器６ｃが、レンタル待ち状態であることを意味する設定である初期設定をされた以降に、最初に回転検知手段６ｂが車輪の所定の回転量の回転を検知した時から、利用者にレンタル自転車の現在位置の近傍の観光地にかかる情報である観光地情報を逐次に提示する。
例えば、近傍の観光地は、現在位置を中心として所定の半径内にある観光地である。
例えば、自転車搭載機器６ｃが、利用者にレンタル自転車の現在位置の近傍の観光地にかかる情報である観光地情報を表示部に表示する。
例えば、自転車搭載機器６ｃが、利用者にレンタル自転車の現在位置から所定の距離内にある観光地にかかる情報である観光地情報を表示部に表示する。
この様にすると、利用者は、レンタル自転車に乗って走行中に近傍の観光地にかかる情報を確認できる。
【００４４】
自転車搭載機器６ｃが、予定返却時刻を記憶しており、レンタル待ち状態であることを意味する設定である初期設定をされた以降に、最初に回転検知手段が車輪の所定の回転量の回転を検知した時に、その後で利用者に現在の時刻から予定返却時刻までの時間を逐次に提示する。
例えば、自転車搭載機器６ｃが、入力された予定返却時刻を記憶しており、レンタル待ち状態であることを意味する設定である初期設定をされた以降に、最初に回転検知手段が車輪の所定の回転量の回転を検知した時に、その後で利用者に現在の時刻から予定返却時刻までの時間を逐次に提示する。
例えば、自転車搭載機器６ｃが、後述するサーバから入力された予定返却時刻を記憶しており、レンタル待ち状態であることを意味する設定である初期設定をされた以降に、最初に回転検知手段が車輪の所定の回転量の回転を検知した時に、その後で利用者に現在の時刻から予定返却時刻までの時間を逐次に提示する。
この様にすると、利用者は、レンタル自転車に乗って走行中に現在の時刻から予定返却時刻までの時間を確認できる。
【００４５】
次に、本発明の実施形態にかかる自転車レンタルシステムを、図を基に、説明する。
図１は、本発明の実施形態に係るレンタル自転車の概念図である。図２は、本発明の実施形態に係る駐車装置の概念図である。図３は、本発明の実施形態に係る自転車パレットの正面図である。図４は、本発明の実施形態に係る自転車パレットの平面図である。図５は、本発明の実施形態に係る自転車レンタルシステムの概念図である。図６は、本発明の実施形態に係る自転車搭載機器の表示部の一例の図である。
【００４６】
自転車レンタルシステムは、複数のレンタル自転車６と駐車場１００とサーバ２００とっで構成される。
自転車レンタルシステムは、複数のレンタル自転車６と複数の駐車場１００とサーバ２００とで構成されてもよい。
【００４７】
レンタル自転車６は、レンタルされる自転車である。
レンタル自転車６は、自転車本体６ａと自転車搭載機器６ｂとで構成される。
レンタル自転車６は、自転車本体６ａと自転車搭載機器６ｂとヘルメット６ｄとで構成されてもよい。
レンタル自転車６は、自転車本体６ａと自転車搭載機器６ｂと回転検知手段６ｃとヘルメット６ｄとで構成されてもよい。
レンタル自転車本体６ａの構造は、前述したものと同じなので、説明を省略する。
【００４８】
回転検知手段６ｂは、自転車本体６ａに設けられ車輪の回転を検知できるものである。
例えば、回転検知手段６ｂは、前輪または後輪の回転を検知する。回転検知手段６ｂは、前輪または後輪の回転をカウントして、回転量を計測できてもよい。
【００４９】
自転車搭載機器６ｃは、自転車本体に搭載される。
自転車搭載機器６ｃは、表示画面、音声発生器等を備えはコンピュータシステムであてもよい。
自転車搭載機器６は、インストールされたソフトウエアにより、各種の機能を発揮する。
【００５０】
ヘルメット６ｄは、利用者の頭を保護するものである。
ヘルメット６ｄは、スピーカを内蔵してもよい。
スピーカは、自転車搭載機器６ｃから有線または無線により送信された音声を利用者に聞こえるように発声する。
スピーカが、カーナビのためのガイドを音声で発生しても良い。
スピーカが、後述する各種情報を音声で音声で発生しても良い。
【００５１】
駐車場１００は、レンタル自転車６を駐車可能なものである。
駐車場１００は、レンタル自転車６を駐車可能な駐車装置であってもよい。
駐車装置は、自動車とレンタル自転車６とを駐車可能なものであってもよい。
駐車装１００は、レンタル自転車６を駐車できる駐車空間をもつ駐車場であってもよい。
図２は、自動車とレンタル自転車とを駐車可能な駐車装置を示す。
図３、図４は、レンタル自転車６を乗せる自転車用パレット８を示す。
自転車用パレット８は、パレット本体８ａと複数の自転車用ラック８ｂとで構成される。
自転車ラック８ｂは、レンタル自転車６を支える構造部材である。
例えば、自転車用ラック８ｂは、レンタル自転車６の車輪を拘束する。
図３は、自転車６が、自動車用パレット８の自転車用ラック８ｂに支持される様子を示す。
駐車場１００は、駐車場を管理するための管理コンピュータを持っていてもよい。
管理コンピュータは、自転車搭載機器６ｃと後述するサーバ２００との通信を中継できる通信システムをもっていてもよい。
【００５２】
サーバ２００は、複数のレンタル自転車を各々に駐車できる様に駐車場を管理するものである。
サーバ２００は、複数のレンタル自転車を各々に駐車できる様に複数の駐車場を管理するものであってもよい。
サーバ２００は、ＣＰＵとメモリと各種インターフェースで構成されるコンピュータである。
【００５３】
サーバ２００が、複数の駐車場のうちからレンタル自転車６を駐車させる空車状態の駐車空間をもつ駐車場を受入可駐車場として記録し更新してもよい。
サーバ２００が、レンタル中のレンタル自転車の現在の位置の近傍に存在する受入可駐車場の情報である受入可駐車場情報をレンタル自転車６の自転車搭載機器６ｃへ逐次に送信し、自転車搭載機器６ｃが利用者に受入可駐車場情報を知らせてもよい。
例えば、サーバ２００は、複数の駐車場を管理コンピュータと通信し、レンタル自転車６を駐車させる空車状態の駐車空間をもつ駐車場を受入可駐車場として記録し更新する。
例えば、サーバ２００は、レンタル自転車６の自転車搭載機器６ｃと通信し、レンタル中のレンタル自転車の現在の位置の近傍に存在する受入可駐車場の情報である受入可駐車場情報をレンタル自転車６の自転車搭載機器６ｃへ逐次に送信する。
例えば、自転車搭載機器６ｃが、受入可駐車場情報を表示部に表示する。
この様にすると、利用者はレンタルしたレンタル自転車で走行中に、走行している現在位置の近傍にある受入可駐車場を適時に確認できる。
【００５４】
サーバ２００が、レンタル中のレンタル自転車６の現在の位置の近傍に存在する観光地の案内に係る情報である観光地情報をレンタル自転車の自転車搭載機器６ｃへ逐次に送信してもよい。
自転車搭載機器６ｃが利用者に観光地情報に知らせてもよい。
例えば、サーバ２００が、レンタル中のレンタル自転車６の現在の位置の自転車搭載機器６ｃから通信で受け取り、レンタル中のレンタル自転車６の現在の位置の近傍に存在する観光地の案内に係る情報である観光地情報をレンタル自転車の自転車搭載機器６ｃへ逐次に送信する。
例えば、自転車搭載機器６ｃが観光地情報に表示部に表示する。
この様にすると、利用者はレンタルしたレンタル自転車で走行中に、走行している現在位置の近傍にある観光地の案内に係る情報を適時に確認できる。
【００５５】
サーバ２００が、レンタル中のレンタル自転車の自転車搭載機器６ｃに予定返却時刻を送信してもよい。
自転車搭載機器６ｃが、利用者に現在の時刻から予定返却時刻までの時間を知らせてもよい。
例えば、サーバ２００が、予めレンタル中のレンタル自転車の予定返却時刻を記憶する。
例えば、サーバ２００が、レンタル中のレンタル自転車の自転車搭載機器６ｃに予定返却時刻を送信する。
例えば、自転車搭載機器６ｃが、現在の時刻から予定返却時刻までの時間を表示部に表示する。
この様にすると、利用者はレンタルしたレンタル自転車で走行中に、現在の時刻から予定返却時刻までの時間を適時に確認できる。
【００５６】
サーバ３００が、レンタル中のレンタル自転車の自転車搭載機器に自転車をレンタルする際の注意に係る情報であるレンタル注意情報を送信してもよい。
自転車搭載機器６ｃが、利用者にレンタル注意情報を提示する。
例えば、サーバ３００が、予め自転車をレンタルする際の注意に係る情報であるレンタル注意情報を記憶する。
例えば、サーバ３−ーが、レンタル中のレンタル自転車の自転車搭載機器に自転車をレンタルする際の注意に係る情報であるレンタル注意情報を送信する。
例えば、自転車搭載機器６ｃが、レンタル注意情報を表示部に表示する。
この様にすると、利用者はレンタルしたレンタル自転車で走行中に、レンタルする際の注意に係る情報を適時に確認できる。
【００５７】
サーバ３００が、レンタル中のレンタル自転車の自転車搭載機器にレンタルを終了することを意味するレンタル終了信号を送信してもよい。
自転車搭載機器６ｃが、レンタル終了信号を受けることをできてもよい。
自転車搭載機器６ｃが、レンタル終了信号を受け取った時刻をレンタル終了時刻として記録し、レンタル開始時刻とレンタル終了時刻との差分をレンタル時間として算出してもよい。
例えば、サーバ３００が、レンタル中のレンタル自転車の自転車搭載機器にレンタルを終了することを意味するレンタル終了信号を送信する。
例えば、自転車搭載機器６ｃが、サーバ３００からレンタル終了信号を受ける。
例えば、自転車搭載機器６ｃが、利用者の入力によりレンタル終了信号を受ける。
例えば、自転車搭載機器６ｃが、レンタル終了信号を受け取った時刻をレンタル終了時刻として記録し、レンタル開始時刻とレンタル終了時刻との差分をレンタル時間として算出して、表示部に表示してもよい。
この様にすると、利用者は、適時にレンタル時間を確認できる。
【００５８】
自転車６が自転車本体に設けられ車輪の回転を検知できる回転検知手段６ｂを持ってもよい。
自転車搭載機器６ｃが、レンタル待ち状態であることを意味する設定である初期設定をされた以降に、最初に回転検知手段６ｂが車輪の所定の回転量の回転を検知する時の時刻を第一時刻として、第一時刻をレンタル開始時刻としてサーバに送信してもよい。
例えば、自転車本体に設けられる回転検知手段６ｂが車輪の回転を検知できる。
例えば、レンタル待ち状態であることを意味する設定である初期設定をされた以降に回転検知手段６ｂが車輪の回転量の回転を検知する。
例えば、自転車搭載機器６ｃが、レンタル待ち状態であることを意味する設定である初期設定をされた以降に、最初に回転検知手段６ｂが車輪の所定の回転量の回転を検知する時の時刻を第一時刻として、第一時刻をレンタル開始時刻としてサーバに送信する。
この様にすると、レンタル開始時刻を簡易に定めることができる。
【００５９】
以下に、本発明の実施形態にかかる自動車レンタルシステムを、図を基に、説明する。
図７は、本発明の実施形態に係る自転車レンタルシステムの部分シーケンス図である。
図８は、本発明の実施形態に係る自転車レンタルシステムのシーケンス図である。
本発明の実施形態にかかる駐車方法は、準備工程と出庫工程Ｓ１０と入庫工程Ｓ２０とを備える。
本発明の実施形態にかかる駐車方法は、準備工程とパレット引き出し工程Ｓ３０とパレット引き入れ工程Ｓ４０とを備えていてもよい。
本発明の実施形態にかかる駐車方法は、準備工程とパレット引き出し工程Ｓ３０とパレット引き入れ工程Ｓ４０と記録工程Ｓ５０とを備えていてもよい。
本発明の実施形態にかかる駐車方法は、準備工程と出庫工程Ｓ１０と入庫工程Ｓ２０とパレット引き出し工程Ｓ３０とパレット引き入れ工程Ｓ４０とを備えていてもよい。
本発明の実施形態にかかる駐車方法は、準備工程と出庫工程Ｓ１０と入庫工程Ｓ２０とパレット引き出し工程Ｗ３０とパレット引き入れ工程Ｓ４０と記録工程Ｓ５０とを備えていてもよい。
以下では、駐車場として駐車装置を用いる場合を例に説明する。
【００６０】
準備工程は、複数の駐車場１００を準備する工程である。
駐車場１００として用いる駐車装置は、複数の自転車を複数の駐車空間に各々に置いて駐車させる装置である。
駐車場１００として用いる駐車装置は、複数の自転車を複数の駐車空間に各々に置いて駐車させる装置であってもよい。
駐車場１００として用いる駐車装置は、複数の車両または複数の自転車を複数の駐車空間に各々に置いて駐車させる装置であってもよい。
図５に、複数の駐車場１００として用いる複数の駐車装置をもつ駐車装置群が所定のエリアの中にある様子を示す。
図５は、駐車装置群においてＡ乃至Ｉの駐車装置が中央制御装置８０に通信で繋がる様子を示す。
【００６１】
駐車装置は、複数のレンタル自転車６を複数の駐車空間７１に各々に置いて駐車させるために、複数のレンタル自転車６を各々に搭載して駐車空間７１に位置できる構造体である複数のパレット２０と、複数のレンタル自転車６を搭載するパレット２０を駐車空間７１と入出庫のため運転手から自転車を預かる空間である入出庫空間７２との間で各々に搬送できる搬送機器４０とをもっていてもよい。
駐車装置は、複数の車両５または複数のレンタル自転車６を複数の駐車空間７１に各々に置いて駐車させるために、複数の車両５または複数のレンタル自転車６を各々に搭載して駐車空間７１に位置できる構造体である複数のパレット２０と、複数の車両５または複数のレンタル自転車６を搭載するパレット２０を駐車空間７１と入出庫のため運転手から車両または自転車を預かる空間である入出庫空間７２との間で各々に搬送できる搬送機器４０とをもっていてもよい。
【００６２】
出庫工程Ｓ１０は、複数の駐車場１００のうちの一つの駐車場１００に駐車するレンタル自転車６をレンタルのために出庫させる工程である。
入庫作業Ｓ２０は、出庫工程でレンタルのための出庫させたレンタル自転車６を複数の駐車場１００のうちの一つの駐車場１００に入庫させる工程である。
レンタル終了すると、レンタル自転車６を入庫させてもよい。
レンタル自転車６を入庫させると、レンタル終了してもよい。
図８は、複数の駐車場１００の各々毎に、出庫工程Ｓ１０と入庫工程Ｓ２０を実行する様子を示す。
【００６３】
出庫工程Ｓ１０は、複数の駐車場１００のうちの一つの駐車場１００に駐車するレンタル自転車６をレンタルのために出庫させる工程である。
入庫作業Ｓ２０は、出庫工程で出庫させたレンタル自転車６を複数の駐車場１００のうちの他の駐車場１００に入庫させる工程であってもよい。
【００６４】
出庫工程Ｓ１０は、複数の駐車場１００のうちの一つの駐車場１００に駐車する複数のレンタル自転車６を一体として出庫させる工程てあってもよい。
入庫作業Ｓ２０は、入庫工程で一体として出庫させた複数のレンタル自転車６を複数の駐車場１００のうちの他の駐車場１００に一体として入庫させる工程であってもよい。
【００６５】
記録工程Ｓ５０は、レンタル自転車６とレンタル自転車６を入庫させた駐車場１００とを関連づけてサーバ２００のデータベースＤＢに記録する工程である。
記録工程Ｓ５０は、レンタル自転車６とレンタル自転車６を出庫させた駐車場１００と自転車を入庫させた駐車場１００とを関連づけてサーバ２００のデータベースＤＢに記録する工程であってもよい。
自転車毎に出庫工程Ｓ１０と入庫工程Ｓ２０とを繰り返す度に記録工程Ｓ５０を実行しさーば２００のデータベースＤＢを更新する。
サーバ２００にインストールされた記録工程Ｓ５０用プログラムが、データベースＤＢを更新する。
サーバ２００は、ＣＰＵとメモリと通信Ｉ／Ｆを備えたコンピュータである。
図４は、サーバ２００が、駐車装置群の複数の駐車場１００と通信をする様子を示す。
例えば、サーバ２００は中央監視室（パスク）に置かれる。中央監視室（パスク）は複数の駐車装置との通信を各々に行い、ビックデータ処理によりデータベースＤＢを管理する。その結果、より広範囲に対応できる。
【００６６】
パレット引き出し工程Ｓ３０は、複数の駐車場１００のうちの一つの駐車場１００の搬送機器から自転車用パレット８を引き出す工程である。
パレット引き入れ工程Ｓ４０は、パレット引き出し工程Ｓ３０で引き出した自転車用パレット８を複数の駐車場１００のうちの他の駐車場１００の搬送機器へ引き入れる工程であってもよい。
【００６７】
パレット引き出し工程Ｓ３０は、複数の駐車場１００のうちの一つの駐車場１００の搬送機器４０からレンタル自転車６を搭載した自転車用パレット８を引き出す工程であってもよい。
パレット引き入れ工程Ｓ４０は、パレット引き出し工程Ｓ３０で引き出したレンタル自転車６を搭載した自転車用パレット８を複数の駐車場１００のうちの他の駐車場１００の搬送機器４０へ引き入れる工程であってもよい。
【００６８】
次に、本発明の実施形態にかかる駐車場１００として用いる駐車装置を説明する。
本発明の実施形態にかかる駐車装置は、複数の車両５または複数のレンタル自転車６を複数の駐車空間に各々に置いて駐車させる装置である。
例えば、本発明の実施形態にかかる駐車装置は、複数の車両５を複数の駐車空間に各々に置いて駐車させる装置である。
例えば、本発明の実施形態にかかる駐車装置は、複数のレンタル自転車６を複数の駐車空間に各々に置いて駐車させる装置である。
例えば、本発明の実施形態にかかる駐車装置は、複数の車両５と複数のレンタル自転車６を複数の駐車空間に各々に置いて駐車させる装置である。
自転車は電動自転車を含む。
図２は、駐車装置がエレベータ式機械式駐車装置である場合を示している。
【００６９】
本発明の実施形態にかかる駐車場として用いる駐車装置は、複数の車両５または複数のレンタル自転車６を複数の駐車空間７１に各々に置いて駐車させるものである。
駐車装置は、主構造体１０と複数のパレット２０と搬送機器４０と電源機器５０で構成されてもよい。
【００７０】
主構造体１０は、駐車空間７１を形成する柱材１１と梁材１２とを有する構造体である。
主構造体１０は、駐車空間７１を形成する柱材１１と梁材１２と斜材１３を有する構造体であってもよい。
４本の柱材１１が、上から見て４隅に起立する。
複数の梁材１２が上下方向に所定のピッチで並び、一対の柱材に両端を固定される。
斜材１３が、柱材１１と梁材１２とで形成される矩形構造に斜めに渡される。
【００７１】
複数のパレット２０は、複数の車両５または複数のレンタル自転車６を各々に搭載して駐車空間に位置できる構造体である。
パレット２０は、車両５またはレンタル自転車６を搭載して駐車空間７１に位置できる。
例えば、パレット２０は、上から見て矩形の輪郭をもつ構造体である。
図２に、車両５を踏査したパレット１０が駐車空間７１に位置し、複数の自転６を搭載したパレット１０が駐車空間に位置する様子を示す。
【００７２】
搬送機器４０は、複数の車両または複数の自転車を駐車空間７１と入出庫空間７２との間で各々に搬送できる機器である。
搬送機器は、複数の車両または複数の自転車を駐車空間７１と入出庫空間７２との間で各々に搬送できる。
搬送機器４０は、複数のパレットを駐車空間７１と入出庫空間７２との間で各々に搬送できてもよい。
例えば、搬送機器は、複数のパレットを駐車空間７１と入出庫空間７２との間で各々に搬送できる。
ここで、入出庫空間７２は、入出庫のため運転手から車両５またはレンタル自転車６を預かる空間である。
例えば、入出庫空間７２は、入出庫のため運転手が車両を乗り降りする空間である。
例えば、入出庫空間７２は、入出庫のため運転手が自転車を乗り捨てる空間である。
【００７３】
電源機器５０は、電力を搬送機器４０へ給電できる機器である。
また、電源機器５０は、レンタル自転車用のバッテリに充電できる。
【００７４】
複数の駐車装置のうちの一つの駐車装置に駐車するレンタル自転車６を出庫させ、出庫させたレンタル自転車６を複数の駐車装置のうちの一つの駐車装置に入庫させることができる。
出庫する駐車装置と入庫する駐車装置とが同じでもよい。
【００７５】
複数の駐車装置のうちの一つの駐車装置に駐車するレンタル自転車６を出庫させ、出庫させたレンタル自転車６を複数の駐車装置のうちの他の駐車装置に入庫させることができる。
【００７６】
複数の駐車装置のうちの一つの駐車装置に駐車する複数の自転車を一体として出庫させ、一体として出庫させた複数の自転車を複数の駐車装置のうちの他の駐車装置に一体として入庫させることができてもよい。
【００７７】
レンタル自転車６とそのレンタル自転車６を入庫させた駐車装置とを関連づけてデータベースＤＢに記録してもよい。
レンタル自転車６とそのレンタル自転車６を出庫させた駐車装置とその自転車を入庫させた駐車装置とを関連づけてデータベースＤＢに記録してもよい。
自動車が、出庫と入庫を繰り返す毎に、データベースＤＢを更新する。
【００７８】
複数の駐車装置のうちの一つの駐車装置の搬送機器４０からパレット２０を引き出し、引き出したパレット２０を複数の駐車装置群のうちの他の駐車装置の搬送機器４０へ引き入れることができてもよい。
【００７９】
複数の駐車装置のうちの一つの駐車装置の搬送機器からレンタル自転車６を搭載したパレット２０を引き出し、引き出したレンタル自転車６を搭載したパレット２０を複数の駐車装置のうちの他の駐車装置の搬送機器４０へ引き入れることができてもよい。
【００８０】
複数の駐車装置のうちの一つの駐車装置の搬送機器から複数のレンタル自転車６を搭載したパレット２０を引き出し、引き出した複数のレンタル自転車６を搭載したパレット２０を複数の駐車装置のうちの他の駐車装置の搬送機器４０へ引き入れることができてもよい。
【００８１】
以下に、本発明の実施形態にかかるレンタル自転車と自転車レンタルシステムの作用を説明する。
最初に、駐車場に駐車するレンタル自転車６の自動車搭載機器６ｃは、初期設定Ｓ６１されている。
（出庫工程Ｓ１０）
利用者が、複数の駐車装置のうちの一つの駐車装置の入出庫空間の前に立つ。
利用者が、一つのレンタル自転車６を呼び出す。
利用者が、複数のレンタル自転車のうちのひとつのレンタル自転車６を自転車ラック８ｂから引き出す。
利用者が、出庫したレンタル自転車６に乗って出る。
【００８２】
（利用工程Ｓ６０）
図７は、利用工程Ｓ６０を例示している。
（車輪回転か？Ｓ６２）
引き出したレンタル自転車の回転検知手段６ｂが、車輪の所定の回転量の回転を検知する。
（第一時刻記録Ｓ６３）
自転車搭載機器は、レンタル待ち状態であることを意味する設定である初期設定をされた以降に、最初に回転検知手段６ｂが車輪の所定の回転量の回転を検知した時の時刻を第一時刻として記録する。
（レンタル注意情報Ｓ６４）
利用者は、レンタル注意情報を確認する。
利用者がレンタル自転車に乗って、希望の場所に移動する。
（各種の情報確認Ｓ６５）
利用者は、自転車搭載装置の表示部を見て、各種の情報を確認する。
利用者は、自転車搭載装置の音声を聞いて、各種の情報を確認する。
例えば、利用者は、現在位置情報、受入可駐車場情報、経過時間情報、観光地情報、レンタル残時間情報を確認する
【００８３】
（入庫工程Ｓ２０）
利用者が、レンタル自転車６に乗って、複数の駐車装置のうちの他の駐車装置の入出庫空間の前に立つ。
利用者が、空パレット２０を呼びだす。
利用者が、レンタル自転車６を自転車用パレット８の上の空の自転車ラック８ｂに乗せる。
利用者が、入出庫空間から退出する。
（レンタル終了か？Ｓ６６）
利用者がレンタル終了を入力する。
（レンタル時間算出Ｓ６７）
自転車搭載機器６ｃが、レンタル終了信号を受けとり、レンタル終了信号を受け取った時刻を第二時刻として記録し、第一時刻と第二時刻との差分をレンタル時間として算出する。
例えば、サーバ２００は、レンタル時間に対応したレンタル料金を受け取る。
例えば、サーバ２００が、入庫したレンタル自転車６と入庫した駐車装置６とを関連づけてデータベースＤＢに記録する。
（初期設定Ｓ６１）
レンタル待ち状態になったレンタル自転車６の自転車搭載機器６ｃが初期設定される。
例えば、サーバ２００が自転車搭載機器６ｃを初期設定する。
例えば、管理コンピュータが自転車搭載機器６ｃを初期設定する。
【００８４】
（パレット引き出し工程Ｓ３０）
操作員が、複数の駐車装置のうちの一つの駐車装置の入出庫空間の前に立つ。
操作員が、レンタル自転車６を搭載したパレット３０を入出庫空間に呼び出す。
レンタル自転車６を搭載したパレット２０を搬送機器から引き出す。
【００８５】
操作員が、引き出したパレットを自転車を搭載させたまま、複数の駐車装置のうちの他の駐車装置へ移動する。
【００８６】
（パレット引き入れ工程Ｓ４０）
操作員が、引き出したレンタル自転車６を搭載したパレット２０を複数の駐車装置のうちの他の駐車装置の搬送機器に引き入れる。
その結果、駐車するレンタル自転車６の数が所定数を越えた駐車装置に駐車する自転車の数６を減らし、駐車するレンタル自転車６の数が所定数を下回る駐車装置に駐車するレンタル自転車６の数を増やすことができる。
【００８７】
また、本発明の実施形態に係るレンタル自転車は、その構成により、以下の効果を有する。
自転車本体６ａに搭載される自転車搭載機器６ｃがレンタル待ち状態であることを意味する設定である初期設定をされた以降に、最初に回転検知手段６ｂが車輪の所定の回転量の回転を検知した時の時刻を第一時刻として記録する様にしたので、レンタル待ち状態であることを意味する設定である初期設定をされた以降に、最初に車輪が所定の回転量だけ回転した時刻である第一時刻を基準時刻としてレンタル自転車６を管理できる。
また、レンタルを終了することを意味するレンタル終了信号を受け取った時刻を第二時刻として記録し、第一時刻と第二時刻との差分をレンタル時間として算出する様にしたので、簡易にレンタル時間を得ることができる。
また、レンタル待ち状態であることを意味する設定である初期設定をされた以降に、最初に回転検知手段６ｂが車輪の所定の回転量の回転を検知した時に、利用者にレンタル自転車６を利用する際の注意にかかる情報であるレンタル注意情報を提示する様にしたので、レンタル自転車６の利用者はレンタル注意情報を適時に知ることができる。
また、レンタル待ち状態であることを意味する設定である初期設定をされた以降に、最初に回転検知手段６ｂが車輪の所定の回転量の回転を検知した時から、利用者にレンタル自転車６の現在位置を逐次に提示する様にしたので、レンタル自転車６の利用者は現在位置を適時に知ることができる。
また、レンタル待ち状態であることを意味する設定である初期設定をされた以降に、最初に回転検知手段が車輪の所定の回転量の回転を検知した時から、利用者にレンタル自転車６の現在の位置の近傍に存在するレンタル自転車６を駐車させる空車状態の駐車空間をもつ受入可駐車場に係る情報を逐次に提示する様にしたので、利用者がレンタル自転車を現在位置の近傍の受入可駐車場を逐次に知ることができる。
また、レンタル待ち状態であることを意味する設定である初期設定をされた以降に、最初に回転検知手段が車輪の所定の回転量の回転を検知した時から、現在までの時間であるレンタル経過時間を利用者に逐次に提示する様にしたので、連絡自転車の利用者はレンタル経過時間を逐次に知ることができる。
また、レンタル待ち状態であることを意味する設定である初期設定をされた以降に、最初に回転検知手段が車輪の所定の回転量の回転を検知した時から、利用者にレンタル自転車６の現在位置の近傍の観光地にかかる情報である観光地情報を逐次に提示する様にしたので、利用者はレンタル自転車の現在位置の近傍の観光地情報を逐次に知ることができる。
また、予定返却時刻を記憶しており、レンタル待ち状態であることを意味する設定である初期設定をされた以降に、最初に回転検知手段が車輪の所定の回転量の回転を検知した時に、その後で利用者に現在の時刻から予定返却時刻までの時間を逐次に提示する様にしたので、利用者は、現在の時刻から予定返却時刻までの時間を逐次に知ることができる。
【００８８】
また、本発明の実施形態に係る自転車レンタルシステムは、その構成により、以下の効果を有する。
サーバ２００が、自転車搭載機器６ｃを搭載する複数のレンタル自転車６を各々に駐車できる複数の駐車場を管理し、複数の駐車場のうちからレンタル自転車を駐車させる空車状態の駐車空間をもつ駐車場を受入可駐車場として記録し更新し、レンタル中のレンタル自転車６の現在の位置の近傍に存在する受入可駐車場の情報である受入可駐車場情報をレンタル自転車の自転車搭載機器へ逐次に送信し、自転車搭載機器が利用者に受入可駐車場情報を適時に提示する様にしたので、利用者がレンタル自転車６を現在位置の近傍の受入可駐車場を逐次に知ることができる。
また、レンタル中のレンタル自転車６の現在の位置の近傍に存在する観光地の案内に係る情報である観光地情報をレンタル自転車６の自転車搭載機器へ逐次に送信し、利用者に観光地情報に適時に提示する様にしたので、利用者はレンタル自転車６の現在位置の近傍の観光地情報を逐次に知ることができる。
また、レンタル中のレンタル自転車６の自転車搭載機器に予定返却時刻を送信し、利用者に現在の時刻から予定返却時刻までの時間を適時に提示する様にしたので、利用者は、現在の時刻から予定返却時刻までの時間を逐次に知ることができる。
また、レンタル中のレンタル自転車６の自転車搭載機器に自転車をレンタルする際の注意に係る情報であるレンタル注意情報を送信し、イダーにレンタル注意情報を提示する様にしたので、レンタル自転車６の利用者はレンタル注意情報を適時に知ることができる。
また、レンタル中のレンタル自転車６の自転車搭載機器にレンタルを終了することを意味するレンタル終了信号を送信し、レンタル終了信号を受け取った時刻をレンタル終了時刻として記録し、レンタル開始時刻とレンタル終了時刻との差分をレンタル時間として算出する様にしたので、簡易にレンタル時間を得ることができる。
また、レンタル待ち状態であることを意味する設定である初期設定をされた以降に、最初に回転検知手段６ｂが車輪の所定の回転量の回転を検知する時の時刻を第一時刻として、第一時刻をレンタル開始時刻としてサーバに送信する様にしたので、サーバ２００は簡易にレンタル開始時刻を知ることができる。
従って、利便性の高いレンタル自転車６とそのレンタル自転車６をレンタルする自転車レンタルシステムとを提供できる。
【００８９】
本発明は以上に述べた実施形態に限られるものではなく、発明の要旨を逸脱しない範囲で各種の変更が可能である。
駐車場を機械式駐車装置であるとして説明したが、これに限定されない。例えば、駐車場は自走式駐車場であってもよい。
【符号の説明】
【００９０】
Ｈ  上下移動空間
５  車両
６  レンタル自転車
６ａ  自転車本体
６ｂ  回転検知手段
６ｃ  自転車搭載機器
６ｄ  ヘルメット
７  電池
８  自転車用パレット
８ａ  自転車用パレット本体
８ｂ  自転車用ラック
１００  駐車場
１０  主構造体
１１  柱材
１２  梁材
１３  斜材
１４  駐車棚レール
２０  パレット
２１  パレット主構造体
２２  車輪
３０  充電機器
３１  充電機器本体
３２  挿入口
４０  搬送機器
４１  ケージ
４２  巻上げ機器
５０  電源機器
５１  電源盤
５２  第一電源ケーブル
５３  第二電源ケーブル
７１  駐車空間
７２  入出庫空間
２００  サーバ
Ｓ１０  出庫工程
Ｓ２０  入庫工程
Ｓ３０  パレット引き出し工程
Ｓ４０  パレット引き入れ工程
Ｓ５０  記録工程
Ｓ６０  利用工程
Ｓ６１  初期設定
Ｓ６２  車輪回転か？
Ｓ６３  第一時刻記録
Ｓ６４  レンタル注意情報
Ｓ６５  各種の情報確認
Ｓ６６  レンタル終了か？
Ｓ６７  レンタル時間算出
【先行技術文献】
【特許文献】
【００９１】
【特許文献１】特開２０１２−２４１３５９号
【図１】
2017217930.tif 000003
【図２】
2017217930.tif 000004
【図３】
2017217930.tif 000005
【図４】
2017217930.tif 000006
【図５】
2017217930.tif 000007
【図６】
2017217930.tif 000008
【図７】
2017217930.tif 000009
【図８】
2017217930.tif 000010